(57)【特許請求の範囲】
【請求項１】
閲覧者が任意に指定した第1の位置情報に基づいて、当該閲覧者の地域情報を決定する位置情報指定手段と、
投稿者の端末機から投稿された投稿品のデータと、当該投稿品のデータに対応する地域情報とを記憶するデータベースと、
前記投稿品のデータに対応する地域情報に、前記閲覧者の地域情報が含まれる場合に、当該投稿品のデータを、前記閲覧者の閲覧可能な投稿品のデータに振り分ける振り分け手段と、
を有することを特徴とする個人間取引支援装置。
【請求項２】
前記位置情報指定手段は、前記投稿者の端末機の位置を示す座標情報に基づいて、前記投稿品のデータに対応する地域情報を指定することを特徴とする請求項1に記載の個人間取引支援装置。
【請求項３】
前記位置情報指定手段は、前記投稿者が指定した第2の位置情報に基づいて前記投稿品のデータに対応する地域情報を決定することを特徴とする請求項1に記載の個人間取引支援装置。
【請求項４】
前記投稿者の端末機により投稿カテゴリーを選択して登録する選択登録手段をさらに有することを特徴とする請求項1に記載の個人間取引支援装置。
【請求項５】
前記位置情報指定手段は、前記閲覧者の地域情報を拡張し、
前記振り分け手段は、拡張した前記閲覧者の地域情報と、前記投稿品のデータに対応する地域情報に基づいて、前記閲覧者の閲覧可能な投稿品のデータを振り分けることを特徴とする請求項1に記載の個人間取引支援装置。
【請求項６】
前記投稿品のデータに対応する地域情報を前記閲覧者の地域情報として設定した前記閲覧者の端末機の個数を、前記投稿者の端末機のアプリケーションに通知することが可能であることを特徴とする請求項1乃至請求項3の何れか1に記載の個人間取引支援装置。
【請求項７】
前記投稿品のデータに対応する地域情報を第1の地域に設定して前記投稿品のデータを投稿した前記投稿者の端末機に対して、第1の地域以外の範囲の地域において、当該投稿者が投稿した投稿品のデータと同一の投稿カテゴリーの検索があった場合は、前記投稿者の端末機に通知する機能を有することを特徴とする請求項4に記載の個人間取引支援装置。
【請求項８】
閲覧者が任意に指定した第1の位置情報に基づいて、当該閲覧者の地域情報を決定する位置情報指定工程と、
投稿者の端末機から投稿された投稿品のデータと、当該投稿品のデータに対応する地域情報とを記憶するデータベースと、
前記投稿品のデータに対応する地域情報に、前記閲覧者の地域情報が含まれる場合に、当該投稿品のデータを前記閲覧者の閲覧可能な投稿品のデータに振り分ける振り分け工程と、
を実行することを特徴とする個人間取引支援方法。
【請求項９】
コンピュータに、
閲覧者が任意に指定した第1の位置情報に基づいて、当該閲覧者の地域情報を決定する位置情報指定機能と、
投稿者の端末機から投稿された投稿品のデータと、当該投稿品のデータに対応する地域情報とを記憶するデータベースと、
前記投稿品のデータに対応する地域情報に、前記閲覧者の地域情報が含まれる場合に、当該投稿品のデータを前記閲覧者の閲覧可能な投稿品のデータに振り分ける振り分け機能と、
を実行させることを特徴とする個人間取引支援プログラム。
【発明の詳細な説明】
【技術分野】
【０００１】
本発明は、個人対個人（個人には、法人を含み、個人対法人、法人対個人、法人対法人も含む）の取引を円滑に運用支援するための個人間取引支援システム、個人間取引支援方法及び個人間取引支援プログラムに関し、特に、指定された地域情報内の投稿により当該地域情報を指定した閲覧者のみを閲覧可能なように振り分けることで、振り分けされた地域内で個人間同士の取引の閲覧（原則として無料とする。）、検索及びコミュニケーションなどを容易にとることが可能な個人間取引支援システム、個人間取引支援方法及び個人間取引支援プログラムに関する。
【背景技術】
【０００２】
近年、インターネットや通信回線を利用したネットオークションが行われている。出品者はオークションに物品を登録して出品を行い、落札者もまた、オークションに出品されている物品に対して入札ののち物品を落札し、出品者と落札者の２者間で連絡を取り合い、金銭の支払い、物品の送受を行うことが一般的なネットオークションシステムである。
【０００３】
ここで、従来のオークションシステムでは、前述したインターネットや通信回線を利用して出品者と落札者とによる取引を誘発することに主眼を置いているため、地域的な範囲を主眼として取引を行うことを考慮する必要がなく、落札後の物品は、広範囲の地域での運送を業務としている運送業者による受け渡しに委ねられているのが一般的である。また、同じ物品でも、落札者と遠方の出品者或いは近隣の出品者との間で行われる取引では、送料、配達時間等の金銭的にも時間的にも差が生じる場合がある。また、従来のオークションシステムでは、配達に向かない大きなものや、配達準備に手間のかかる物品、或いは落札金額に対する配達の送料・手数料が見合わない物品は出品者自体が出品を控えることがある。
このような物品の出品は、手渡し等の取引も可能とすることで、取引を行うことができる場合や、あるいは、近隣同士の落札者と出品者との間で手渡しによる取引が行われる場合が望まれる。
上述した既存のオークションシステムでは、出品者と落札者との個人情報保護の観点から出品者及び落札者にＩＤを付与しそのＩＤのみを公開して取引が行われるため、落札後でなければ、出品者と落札者との地域情報を入手することができず、取引に入る初期段階では、出品者と落札者（入札者）が手渡し等の取引が可能な範囲に近接していることを知る手段がない。
【先行技術文献】
【特許文献】
【０００４】
【特許文献１】特開２０１４−１８６４７１号公報
【発明の概要】
【発明が解決しようとする課題】
【０００５】
特許文献１は、第一端末と第二端末とを含む複数の無線端末と、サーバとを備えるアフィリエイトシステムであって、アフィリエイト広告の対象である商品やサービスに興味がある人が近くにいる場合は、アフィリエイトの対象を紹介することができる発明が開示されている。特許文献１は、アフィリエイト広告に対応する紹介情報を第二端末ユーザへ通知する条件として、第一端末ユーザの位置から所定範囲内に第二端末ユーザが存在するという第一条件を含んでいる。
【０００６】
しかしながら、特許文献１は、第一端末ユーザの位置から所定範囲内に第二端末ユーザが存在する場合のアフィリエイト広告を紹介する発明について開示されているが、個人情報の保護を維持したままで出品者及び落札者の地域情報を取得しその取得した地域情報に基づいた取引については何ら開示も示唆もされていない。また、従来のネットオークションのシステムでは、地域情報に基づく出品者と落札者の手渡し等による取引を行うことを第１の目的とする個人間取引支援システムなどは考慮されていなかった。
【０００７】
そこで、本発明は、地域情報に基づく出品者と落札者の手渡し等による取引を行うことを実現する。
【課題を解決するための手段】
【０００８】
本発明に係る個人間取引支援システムは、端末機と、投稿カテゴリー内の種々のサービスを提供する前記管理サーバとを備え、前記管理サーバは、前記端末機の前記管理サーバに対する設定情報を登録するための設定登録手段と、前記端末機から位置情報を指定する位置情報指定手段と、前記位置情報指定手段によって指定された前記位置情報から設定された範囲である第１の地域情報による前記端末機を閲覧可能とし、前記第１の地域情報以外の範囲の地域情報による前記端末機を閲覧不可とする振り分けを実行する振り分け手段と、を有することを特徴とする。
【０００９】
また、本発明に係る個人間取引支援システムの前記位置情報指定手段は、位置情報として前記端末機の緯度及び経度を指定することを特徴とする。
【００１０】
また、本発明に係る個人間取引支援システムの前記位置情報指定手段は、位置情報として前記管理サーバに登録された任意の地域を１か所入力して指定することを特徴とする。
【００１１】
また、本発明に係る個人間取引支援システムの前記管理サーバは、前記端末機により投稿カテゴリーを選択して登録する選択登録手段を有することを特徴とする。
【００１２】
また、本発明に係る個人間取引支援システムの前記投稿カテゴリーは、売買、求人、不動産賃貸、或いは募集情報からなることを特徴とする。
【００１３】
また、本発明に係る個人間取引支援システムの、前記振り分け手段は、第１の地域情報に第２の地域情報を拡張して第１の地域情報と第２の地域情報とによる前記端末機を閲覧可能とし、前記第１の地域情報と前記第２の地域情報以外の範囲の地域情報による前記端末機を閲覧不可とする振り分けを実行することを特徴とする。
【００１４】
また、本発明に係る個人間取引支援システムの前記管理サーバは、前記第１の地域情報に設定された端末機の個数を前記設定された端末機のアプリケーションに通知することが可能であることを特徴とする。
【００１５】
また、本発明に係る個人間取引支援システムの前記管理サーバは、前記投稿カテゴリーの第１の地域情報に設定された前記端末機に対して、第１の地域情報以外の地域情報に同一の投稿カテゴリーの検索があった場合は、前記端末機に通知する機能を有することを特徴とする。
【００１６】
また、本発明に係る個人間取引支援方法は、端末機と、投稿カテゴリー内の種々のサービスを提供する管理サーバ側にて、前記管理サーバは、前記端末機の前記管理サーバに対する設定情報を登録するための設定登録工程と、前記端末機から位置情報を指定する位置情報指定工程と、前記位置情報指定工程で指定された前記位置情報から設定された範囲である第１の地域情報による前記端末機を閲覧可能とし、前記第１の地域情報以外の範囲の地域情報による前記端末機を閲覧不可とする振り分けを実行する振り分け工程と、を実行することを特徴とする。
【００１７】
また、本発明に係る個人間取引支援プログラムは、端末機と、投稿カテゴリー内の種々のサービスを提供する管理サーバとを組み合わせたシステムを用いて個人間取引を支援するためのプログラムであって、前記管理サーバのコンピュータに、前記端末機からの設定情報を登録するための設定登録機能と、前記端末機から位置情報を指定する位置情報指定機能と、前記位置情報指定機能によって指定された前記位置情報から設定された範囲である第１の地域情報による前記端末機を閲覧可能とし、前記第１の地域情報以外の範囲の地域情報による前記端末機を閲覧不可とする振り分けを実行する振り分け機能と、を実行させることを特徴とする。
【発明の効果】
【００１８】
本発明によれば、個人対個人（個人には、法人を含み、個人対法人、法人対個人、法人対法人も含む）の取引に関し、投稿者の端末機の位置情報から設定された第１の地域情報を端末機で閲覧可能に振り分け、当該第１の地域情報を設定した以外の地域情報を有する閲覧者の端末機には第１の地域情報を閲覧不可に振り分ける。第１の地域情報を設定した端末機を有する者同士が取引の閲覧、検索及びコミュニケーションなどを容易に行うことができる。これにより投稿者は、投稿品に設定した第１の地域情報と同一の第１の地域情報を設定した端末機を所持する閲覧者のみが投稿品の内容を閲覧できるので、意図しない遠方の閲覧者には投稿を見せない。よって、第１の地域情報の近隣の場所に居る閲覧者のみを対象にすることで、投稿品の閲覧、検索及びコミュニケーションなどを容易に行うことができ、手渡し等のＦａｃｅ−Ｔｏ−Ｆａｃｅの取引を希望する閲覧者を選択することができる。
【００１９】
また、従来の一般的に行われているオークションでは、出品者の地域を明記している場合もあるが、その情報に基づいて落札者側が送料等を考慮して取引をするか否かを判断しており、出品者は地域情報に基づいて閲覧者を振り分けることができなかった。これに対して、本発明によれば、投稿者が閲覧可能な範囲の位置情報を設定することにより、取引範囲を振り分けることができ、それによって、Ｆａｃｅ−Ｔｏ−Ｆａｃｅの取引を実現することができる。
【００２０】
また、本発明によれば、位置情報指定手段は、位置情報として前記端末機の緯度及び経度を使用し、地域情報を設定する。よって、一般的なＧＰＳで位置情報を指定し、電子地図に組み合わせて、地図から住所を算出し、地域情報を設定することができる。
【００２１】
また、本発明によれば、前記位置情報指定手段は、位置情報として前記端末機から任意の地域を１か所入力して指定する。よって、投稿者、閲覧者は、市町村単位やあらかじめシステム（管理サーバ１０）で用意した市町村名、地域名称（地名、地区名称、等）を選択して入力することで、位置情報を指定することができる。よって、投稿者閲覧者が、自宅ばかりでなく出先においても、手渡し等のＦａｃｅ−Ｔｏ−Ｆａｃｅの取引を希望して行うことができる。
【００２２】
また、本発明によれば、前記管理サーバは、第１の地域情報を拡張して第２の地域情報を設定可能とし、第１の地域情報と前記拡張した第２の地域情報との範囲を投稿者の意思に基づいて任意に変更することができ、しかも、拡張後の第１の地域情報と第２の地域情報以外の地域情報を設定した前記端末機は投稿品を閲覧できないように振り分ける。
これにより、投稿者は第１の地域情報を閲覧可能な閲覧者に加えて、拡張した第２の地域情報を閲覧可能な閲覧者の数を増やすことにより、投稿品の取引の機会が広がる。
【００２３】
また、本発明によれば、前記管理サーバは、閲覧者が所持する端末機の前記第１の地域情報に設定された閲覧者の人数（端末機の個数）を前記投稿者の端末機に通知することが可能である。これにより、投稿者は第１の地域情報に存在する閲覧者の人数（端末機の個数）を知ることができる。例えば、投稿前に閲覧者の人数（端末機の個数）の多い地域を見つけたら、その地域に投稿をすることで、閲覧可能な閲覧者の数を増やすことにより、取引の機会が広がる。
【００２４】
また、本発明によれば、前記管理サーバは、前記投稿カテゴリーの第１の地域情報に設定された前記端末機に対して、第１の地域情報の一部又は全部を含む他の地域情報の範囲に同一の投稿カテゴリーを閲覧する閲覧者が居た場合は、前記投稿者の端末機に、他の地域に閲覧者が存在する旨の通知をする機能を有する。これにより、投稿者は他の地域情報にカテゴリーの閲覧があったことを知ることにより、地域情報の拡張を検討する機会を得ることができる。
【図面の簡単な説明】
【００２５】
【図１】図１は、本発明の個人間取引支援システムの構成を示す図である。
【図２】図２は、本発明の個人間取引と地域情報の概念を示す図であり、図２（Ａ）は閲覧可能な地域情報Ａ１の範囲の概念を示す図、（Ｂ）は応募ボタンを押下した状態を示す図、（Ｃ）は個別メッセージの送受信の状態を示す図、（Ｄ）は応募終了時の状態を示す図である。
【図３】図３は、地域情報の具体例を示す図である。
【図４】図４は、投稿者の処理の流れを示す処理フロー図である。
【図５】図５は、閲覧者の処理の流れを示す処理フロー図である。
【図６】図６は、投稿者が操作するアプリケーションの画面を示す図であり、図６（Ａ）は、アプリケーションの閲覧画面を示す図、図６（Ｂ）は、投稿カテゴリー選択画面を示す図、図６（Ｃ）は投稿の情報を入力する情報入力画面を示す図である。
【図７】図７は、閲覧者（応募者）が操作するアプリケーションの画面を示す図であり、図７（Ａ）は、アプリケーションで投稿された画面の閲覧状態を示す図、図７（Ｂ）は、図７（Ａ）に連続する投稿のコメントの画面を示す図、図７（Ｃ）は応募ボタンを押下した状態を示す図である。
【図８】図８は、地域情報の拡張の概念を示す図であり、図８（Ａ）は、第１の地域情報Ａ１を基に拡張した第２の地域情報Ａ２を示す図、図８（Ｂ）は第１の地域情報Ａ１の距離を基に拡張した第２の地域情報Ａ２示す図である。
【発明を実施するための形態】
【００２６】
以下、図面を参照して、本発明による個人間取引支援システム、個人間取引支援方法及び個人間取引支援プログラムを実施するための形態について説明する。
【００２７】
本発明によれば、個人間取引支援システム１を用いて図６（Ａ）乃至（C）に示す商品の出品や、不動産及び求人等を登録することを投稿といい、投稿をする出品者を、「投稿者」、投稿した商品を投稿品という。また、投稿者又は第３者が閲覧画面４１でどのような投稿が存在するか、投稿した投稿品や、不動産の売買及び求人広告等を閲覧画面４１で検索して参照することを閲覧といい、閲覧をする者を「閲覧者」という。そして閲覧者の内、投稿を閲覧して、実際に投稿品の取引をすべく図７（Ａ）に示す閲覧個別画面５１の応募ボタン５２を押下し、投稿者と投稿者と一対一で個人間メッセージの送受信を行う者を、「応募者」という。
「投稿者」、「閲覧者」及び「応募者」は、後述するアプリケーションを端末機２０にダウンロードし、初期設定を管理サーバ１０に登録することで、個人間取引支援システム１が使用可能となる。
【００２８】
次に、本発明で位置情報Ｌｎとは、端末機２０の位置を示すＧＰＳの座標（緯度・経度）、又はあらかじめ設定された市町村名、地域名称（地名、地区名称、等）をいう。
【００２９】
また、位置情報Ｌｎを投稿者が図６（Ｃ）に示す情報入力画面４５から場所４６を「場所入力」として入力する場合は、図３に示す、管理サーバ１０が取り決めを設定した地域情報Ａｎの分類として「千代田区」「中央区」等（市町村単位）又は「東京駅丸の内地域」「銀座地域」等（地域名称）の選択肢を、あらかじめ端末機２０の端末機記憶部２９内に用意しておく（図示せず）又は管理サーバ１０に問い合わせ、投稿者は選択肢を選択することで、位置情報Ｌｎを入力できるようにする。投稿者の意思に基づいて投稿品の投稿の範囲（位置情報）である選択された範囲を任意に変更可能である。
【００３０】
本発明で地域情報Ａｎとは、端末機の位置情報Ｌｎと地図情報との組み合わせから割り出した住所に基づいて、その住所を包含している地域を、地域情報として決定する。どのように前記地域情報を分類するかは、あらかじめ管理サーバ１０で取り決めを設定しておき、市町村単位（都道府県単位でもよい）や地域の地域名称（地名、地区名称、等）などで分類すると、投稿者、閲覧者にも分かり易く好適である。
【００３１】
例えば、図３に示す、位置情報Ｌｎ（緯度・経度）から変換した住所が「千代田区大手町１丁目〇○番〇○号」の場合、地域情報Ａｎを「千代田区」（市町村名）と決定する。また、別の分類の例では、地域情報Ａｎを「東京駅丸の内地域」（地域名称）と決定してもよい。また、別の分類の例では、地域情報Ａｎを「○○ビル」「国会議事堂」等、著名な建築物や公共施設で決定してもよい。
【００３２】
なお、これらの地域情報Ａｎの分類は、これらの例に限られるものではなく、例示である。
【００３３】
［システム構成］
図１に示すように、個人間取引支援システム１は、複数のユーザ（投稿者、閲覧者、応募者）がそれぞれ所持する端末機２０（少なくとも２以上の端末機２０）と、端末機２０との送受信を行う複数の無線基地局２と、複数の無線基地局２と管理サーバ１０とを接続する通信網３と、この無線基地局２から通信網３を介して通信を受け付けて種々の設定・登録・管理等を行う管理サーバ１０を有している。
【００３４】
無線基地局２は、所定の間隔を置いて複数設けられており、携帯電話機などの端末機２０との無線通信が可能であり、無線基地局２の一定範囲のエリア内であれば、複数の端末機２０からアクセス可能となっている。
【００３５】
通信網３は、公衆交換電話網（ＰＳＴＮ）、携帯電話網、ＩＰ電話網であり、公衆交換電話網（ＰＳＴＮ）、携帯電話網は、ＩＰ電話網によって統合されて管理サーバ１０の通信部１８に接続される。なお、通信網３は、これらに限定されるものではなく、ネットワークその他の通信網３として機能するものであればよい。
【００３６】
管理サーバ１０は、端末機２０の管理サーバ１０に対する設定情報を登録するための設定登録手段としての設定登録部１２と、端末機２０から位置情報を指定する位置情報指定手段としての位置情報指定部１４と、位置情報指定手段によって指定された位置情報から設定された範囲である第１の地域情報を端末機２０に閲覧可能とし、前記第１の地域情報以外の範囲の地域情報は端末機２０で閲覧不可とする振り分けを行う（実行する）振り分け手段としての振り分け部１５と、端末機２０から投稿カテゴリーを選択して登録する選択登録手段としての選択登録部１３とを有し、また、通信網３との送受信を行う通信部１８と、種々の機能を制御する制御部１１と、選択登録部１３等で情報を登録するデータベース１６と、処理の一時記憶部及びアプリケーション（又は同等の機能を有するＡＳＰ）の各種設定等を格納するための記憶部１９を有している。
【００３７】
管理サーバ１０内の制御部１１は、設定登録部１２、選択登録部１３、位置情報指定部１４、振り分け部１５、データベース１６、通信部１８及び記憶部１９に接続されておりそれぞれの処理を司る機能を有している。
【００３８】
管理サーバ１０の設定登録手段としての設定登録部１２は、起動した端末機２０から無線基地局２及び通信網３を経由して通信部１８で受信し、制御部１１を介して受信した設定情報（端末機２０と管理サーバ１０との間での通信に必要な情報を含む）をデータベース１６に登録する（登録して管理する）。ここで、設定登録部１２で登録される設定登録の情報は、端末機２０の固有機器情報（端末機ＩＤ）、使用者（投稿者、閲覧者及び応募者）の名称（氏名、略称等）、パスワードである。設定登録部１２で登録された設定登録の情報は、使用者（投稿者、閲覧者及び応募者）が所有する端末機からの設定登録の情報について変更を入力し、端末機２０が管理サーバ１０に当該設定登録の情報について変更の送信をするまでは継続して保持され、次回の端末機２０の起動時（次回ログイン時）にも設定登録の情報はそのまま使用される。
【００３９】
選択登録手段としての選択登録部１３は、投稿者が投稿する際に、閲覧画面４１（図６（Ａ）に図示）から投稿ボタン４２を押下し、次に表示される投稿カテゴリー選択画面４３（図６（Ｂ）に図示）から選択した投稿カテゴリーの選択登録情報をデータベース１６に登録する機能を有する。ここで、選択登録部１３で選択される選択登録情報は、図６（Ｂ）の投稿カテゴリー選択画面４３に示すように、
「あげます・売ります」、
「ください・買います」、
「メンバー募集・イベント」、
「助けます・貸します・教えます」、
「助けて・貸して・教えて」、
「求人」、
「賃貸・ルームシェア」
などのような投稿カテゴリーが文字などで表示され、各投稿カテゴリーを個別に選択できるようになっている。これらの投稿カテゴリーは、図６（Ｂ）の例に限られるものではなく、例示であり、商品の取引のみならず、人材の募集、賃貸などの多岐にわたっている。また、投稿カテゴリー選択画面４３内のカテゴリーから明らかなように、投稿者が「売ります」を選択した場合には、閲覧者が「買います」というカテゴリーを選択して個人間取引が成立することが可能であり、また、逆に、投稿者が「買います」を選択した場合には、「売ります」というカテゴリーを選択して個人間取引が成立することが可能である。
【００４０】
位置情報指定手段としての位置情報指定部１４は、選択登録部１３で指定した投稿カテゴリーからさらに、投稿の情報を図６（Ｃ）に示す情報入力画面４５から入力する場所４６を位置情報として、「ＧＰＳ」（Ｇｌｏｂａｌ  Ｐｏｓｉｔｉｏｎｉｎｇ  Ｓｙｓｔｅｍ）データ又は「場所入力」で入力したデータを受信して処理し、データベース１６に登録する機能を有する。
【００４１】
ここで、投稿者が図６（Ｃ）に示す情報入力画面４５から入力する「ＧＰＳ」データを選択した場合は、投稿時の端末機２０の現在位置の情報（緯度・経度）を位置情報Ｌｎとして、端末機２０の制御部２１は管理サーバ１０へ送信する。本発明では一般的なＧＰＳ機能を利用するもので良く、詳細な説明は省略する。
【００４２】
また、投稿者が図６（Ｃ）に示す情報入力画面４５から場所４６を「場所入力」をして位置情報Ｌ１へ選択肢から入力した場合は、選択肢をそのまま地域情報として使用する。例えば、場所４６の選択肢で「東京駅丸の内地域」（位置情報Ｌ１）を選択すると位置情報指定部１４は、地域情報Ａ１を「東京駅丸の内地域」に決定する。そして、位置情報指定部１４は、決定した地域情報Ａｎをデータベース１６に登録する。
【００４３】
位置情報指定部１４は、端末機２０から位置情報Ｌｎを受信すると、位置情報Ｌｎとしての緯度・経度と、別途用意された地図情報とを組み合わせて、その緯度・経度から住所に変換する。そして、位置情報指定部１４は、管理サーバ１０の地域情報の分類に関する取り決め（市町村単位、地域名称、等）に従いその住所を包含している地域を、地域情報Ａｎとして決定する。例えば、図３に示す、位置情報Ｌ１（緯度・経度）から変換した住所が「千代田区大手町１丁目〇○番〇○号」の場合、地域情報Ａ１を「千代田区」（管理サーバ１０の取り決めが市町村名）と決定する。また、別の分類の例では、地域情報Ａ１を「東京駅丸の内地域」（管理サーバ１０の取り決めが地域名称）と決定してもよい。
。
【００４４】
振分手段としての振り分け部１５は、データベース１６に登録された投稿を地域情報を単位として振り分けることにより、振り分け部１５は、閲覧者の存在する地域情報に基づいて、閲覧者毎に投稿が閲覧可能か閲覧不可かを振り分ける機能を実行する。
閲覧者３２の端末機２０から管理サーバ１０に閲覧の要求があった場合、振り分け部１５は、全投稿品の中から、閲覧者３２の該端末機２０の地域情報Ａｎによって閲覧可能に振り分けた投稿品のデータを端末機２０に送信することにより、端末機２０は閲覧可能に振り分けられた投稿品を閲覧可能とし、地域情報Ａｎに該当しない場合は閲覧不可に振り分けられ、投稿品は閲覧不可とする。
【００４５】
例えば閲覧の要求を送信した端末機２０の地域情報Ａ１に設定されていた場合、管理サーバ１０の制御部１１はデータベース１６から地域情報Ａ１の投稿品のみのデータを端末機２０に送信する。端末機２０は、地域情報Ａ１の投稿を閲覧することが可能であり、地域情報Ａ１以外の異なる地域情報の投稿品を閲覧することが不可能である。また、異なる地域情報Ａ２を設定された端末機２０については、地域情報Ａ１に設定された投稿品を閲覧不可とし、管理サーバ１０は地域情報Ａ２に設定された投稿品の詳細なデータを当該端末機２０に送信し、地域情報Ａ２の投稿を閲覧することが可能である。
【００４６】
このように振り分け部１５で閲覧者３２の存在する地域情報Ａｎに基づいて投稿への閲覧を閲覧者毎に振り分ける機能を実行することによって、管理サーバ１０は、端末機２０ｎからの閲覧の要求に対して、端末機２０ｎを設定された地域情報Ａｎと同じ地域情報が設定された投稿品のみを端末機２０ｎに送信し、閲覧可能としうる。
【００４７】
データベース１６は、制御部１１によって、設定登録部１２乃至振り分け部１５からそれぞれ出力される情報を記憶する機能を有する。データベースは一般的なパッケージソフトを使用するため、詳細な説明は省略する。
【００４８】
通信部１８は通信網３を介して、端末機２０と管理サーバ１０の制御部１１とのデータの送受信を行う機能を有している。
【００４９】
記憶部１９は不揮発性メモリ、揮発性メモリ、ハードディスク等から成り、端末機２０からダウンロード請求がなされるアプリケーションの格納場所として用いる、又は端末機２０が使用するＡＳＰ（Ａｐｐｌｉｃａｔｉｏｎ  Ｓｅｒｖｉｃｅ  Ｐｒｏｖｉｄｅｒ）の実行用プログラム、設定ファイル等が格納されている場所である。その他の機能として、制御部１１の一時記憶領域として機能する。
【００５０】
ここでＡＳＰとは、従来はアプリケーションソフトウェア（アプリケーション）をダウンロードして手元の端末機にインストール（導入）しなければサービスを利用できないが、ＡＳＰでは登録された利用者などにインターネットなどの通信網を通じて利用時に動的にソフトウェアを配信するサービスである。利用者は手元の端末機にインストールされている汎用のＷｅｂブラウザ等を操作し、これを通じてＡＳＰ事業者の提供するソフトウェアを表示・操作することで、アプリケーションと同等のサービスを利用することができる。管理サーバ１０は、アプリケーションを提供する代わりに、アプリケーションと同等の画面、操作手順等のサービスを有するＡＳＰのサービスを提供する構成としても良い。
【００５１】
次に、端末機２０について説明する。
図１に示すように、端末機２０は、端末機制御部２１、液晶ディスプレイ等の表示部２２、タッチパネル等の入力部２３、端末機の位置情報Ｌｎを取得するための位置指定部２４、無線基地局２を介して通信網３と通信を行うための端末機通信部２８、及び端末機制御部２１の一時作業領域やアプリケーションを記録しておくための端末機記憶部２９を備えている。
【００５２】
端末機２０は、投稿者、閲覧者（応募者）が使用する機器であり、管理サーバ１０からアプリケーションをダウンロードし、端末機２０はダウンロードしたアプリケーションを実行することにより、位置指定部２４を構築している。前記アプリケーションは使用者（投稿者、閲覧者及び応募者）が投稿品の投稿、応募、閲覧の入力操作及び閲覧、投稿等の表示画面を有する。なお、図１に示すように、端末機２０には、端末機記憶部２９へアプリケーションがダウンロードされた状態となっている。なお、管理サーバ１０がＡＳＰサービスを提供する構成であれば、アプリケーションをダウンロードする代わりにＡＳＰサービスを利用可能な汎用のＷｅｂブラウザ等を起動し、ＡＳＰサービスのＵＲＬ（Ｕｎｉｆｏｒｍ  Ｒｅｓｏｕｒｃｅ  Ｌｏｃａｔｏｒ）を入力することで、端末機２０上でＡＳＰサービスが起動し、本発明の個人間取引支援システム１が使用可能となる。
なお、以降の説明ではＡＳＰではなくアプリケーションを実行する例を説明する。
【００５３】
使用者は端末機２０の各種操作画面（図６（Ａ）乃至（Ｃ）及び、図７（Ａ）乃至（Ｃ）に示す、閲覧画面４１、投稿ボタン４２、投稿カテゴリー選択画面４３、情報入力画面４５、閲覧個別画面５１、コメント画面５３、及び応募メッセージ画面５５）を操作することで、端末機２０を投稿、閲覧及び応募の何れにも使用することができる。端末機は、個人が所持する、スマートフォン、タブレット端末機、ノート型パソコン等の可搬な機器が望ましいが、後述する位置指定部２４を有し、端末機の位置情報Ｌｎを特定する機能を有していれば、設置型の端末機でも良い。また、端末機のＯＳについても、これらの操作画面が稼働するものであればｉＯＳ（登録商標）、Ａｎｄｒｏｉｄ（登録商標）等、に限定されるものではない。本実施例では、小型で可搬型のタッチパネル入力形式を有する携帯端末機を例として説明する。
【００５４】
端末機制御部２１は、端末機２０における、表示部２２、入力部２３、位置指定部２４、端末機通信部２８及び端末機記憶部２９に接続されており、それぞれの機能を司る。
【００５５】
表示部２２は、液晶ディスプレイ等の表示機器からなり、各種操作画面の画面表示や端末機２０の状態表示等を行う。入力部２３は、使用者が各種操作画面への入力を行うための機器である。表示部２２と一体になったタッチパネル、スタイラスペン、マウス及びキーボード等の入力デバイスを用いると好適である。
【００５６】
位置指定部２４は、端末機２０の位置情報Ｌｎを取得する機能を有する。具体的には、図６（Ｃ）に示す情報入力画面４５から入力する場所４６の情報として、「ＧＰＳ」データ又は場所４６の「場所入力」に入力されたデータを取得し、管理サーバ１０の位置情報指定部１４に送信する。ここで、情報入力画面４５から入力するＧＰＳデータは、投稿時の端末機２０の現在位置を端末機が搭載しているＧＰＳ機器（図示せず）から緯度・経度を取得して管理サーバ１０へ送信する。また、情報入力画面４５の場所４６から入力する「場所入力」は、管理サーバ１０にあらかじめ登録されており、一覧表やプルダウンメニュー（何れも図示せず）に表示された市町村名、地域名称である。位置指定部２４は、これらの「場所入力」で入力された位置情報Ｌｎを、管理サーバ１０の位置情報指定部１４に送信する。
【００５７】
端末機２０はアプリケーションを起動することにより、投稿、閲覧及び応募の操作を行うための各種操作画面を表示する。最初に使用者は、端末機２０に管理サーバ１０からアプリケーションをダウンロードし、端末機２０はダウンロードしたアプリケーションを実行することにより、位置指定部２４を構築、初期設定を管理サーバ１０に登録することによって、個人間取引支援システム１が使用可能となる。また、後述するように図６（Ａ）乃至（Ｃ）では投稿の入力を行い、図７（Ａ）乃至（Ｃ）では、閲覧の表示及び応募の入力を行う。なお、本発明ではアプリケーションをダウンロードを要するソフトウェアとして説明するが、上述のＡＳＰを使用してもよい。この場合、ＡＳＰサービスの最初の起動時に初期設定を管理サーバ１０に送信し、登録することになる。
【００５８】
端末機通信部２８は無線基地局２及び通信網３を介して、端末機２０と管理サーバ１０の制御部１１とのデータの送受信を行う機能を有している。
端末機記憶部２９は不揮発性メモリ、揮発性メモリ、ハードディスク等から成り、管理サーバ１０からダウンロードしたアプリケーションの格納場所として用いる。さらに、端末機制御部２１の一時記憶領域として機能する。
【００５９】
次に、本発明に係る個人間取引支援システム１について説明する。
【００６０】
従来のオークションでは出品は基本的に、総ての閲覧者が総ての出品を閲覧することが可能であるが、本発明では、総ての端末機２０ｎが総ての投稿品を閲覧可能ではなく、地域情報Ａｎによって、閲覧可能な端末機２０ｎが振り分けられる。つまり、端末機２０ｎは、管理サーバ１０と通信可能であり投稿品が存在するにもかかわらず、地域情報Ａｎが異なる投稿品を閲覧することは不可能である。閲覧画面４１には、端末機２０ｎに設定された地域情報Ａｎと同一の地域情報Ａｎを設定された投稿品のみが表示される。
【００６１】
図２（Ａ）乃至（Ｄ）は、本発明の投稿について、閲覧可能な範囲の概念を示す図である。図２（Ａ）は、投稿者３１の投稿品の地域情報Ａｎと、閲覧者３２ｎの端末機２０の地域情報Ａｎとが第１の地域情報Ａ１として同じ場合は、閲覧者３２ｎが投稿された内容を閲覧可能であることを示している。図２（Ａ）では、投稿者３１の投稿品の地域情報Ａ１であり、閲覧者３２Ａ、３２Ｂが所持する端末機２０Ａ，２０Ｂの地域情報Ａ１であるため、地域情報Ａｎが一致するので閲覧可能である。
【００６２】
しかし、図２（Ａ）に示す閲覧者３２Ｃ乃至３３Ｅの所持する端末機２０Ｃ乃至２０Ｅの地域情報Ａｎが第１の地域情報以外（斜線で示す範囲）に設定されている場合は、その端末機２０Ｃ乃至２０Ｅは投稿者３１の地域情報Ａ１の投稿品を閲覧不可となっている。
【００６３】
投稿の場合は、例えば、投稿時に投稿者３１と端末機２０は職場付近にいるが、投稿の地域情報Ａ１を投稿者３１の住所にしたい場合は、「場所入力」で指定を行う。投稿の位置情報Ｌｎは、投稿時のみに設定され、途中で変更することはできない。投稿者３１と近傍の閲覧者３２ｎを支援するために、投稿の地域情報Ｌｎが頻繁に変更されることは、投稿品を検索する閲覧者３２ｎが一度発見した投稿品を見失ったりする恐れがあるなど、好ましくないからである。
【００６４】
閲覧の場合は、閲覧者３２ｎが移動することが考えられるので、閲覧者３２ｎは所持する端末機２０の現在位置をＧＰＳで一定の間隔で取得し、管理サーバ１０に送信する。あるいは、閲覧時に閲覧者と端末機２０は、職場付近にいるが、閲覧の地域情報Ａｎを閲覧者の住所にしたい場合は、「場所」入力で指定を行う。このように閲覧者３２ｎは所持する端末機２０の位置情報Ｌｎ及び地域情報Ａｎを自動的に、あるいは任意で変更することで、より多くの地域情報の投稿を閲覧することができる。
【００６５】
ここで、地域情報Ａｎの境界線（地域情報Ａ１と、斜線で示す地域情報Ａ１以外の範囲との境界線）の定義について説明する。
まず、地域情報Ａｎが前述の住所で設定されている場合、地域情報Ａ１の市町村名、地域名と異なる地域情報Ａｎが設定された端末機２０であれば、地域情報Ａ１から数ｍ離れた場所に端末機２０が存在している場合であっても、前記端末機２０の地域情報Ａｎは地域情報Ａ１と異なると管理サーバ１０は判断して、投稿品を閲覧することは不可能である。
【００６６】
次に、図４乃至図７を参照して、本発明に係る個人間取引支援システムの処理について説明する。図４は、投稿者が投稿を行う際の処理シーケンス図であり、図５は、閲覧者が閲覧及び応募を行う際の処理シーケンス図、図６は投稿者が投稿を行う際の操作画面を示す図、図７は閲覧者が応募者として応募を行う際の操作画面を示す図である。
【００６７】
まず、本発明に係る個人間取引支援システム１の投稿者３１（図２に図示）の処理を図１、図４及び図６を参照して説明する。なお、以下の説明はアプリケーションをダウンロードして使用する場合の説明であり、アプリケーションに代えてＡＳＰを使用する場合の説明は省略する。
【００６８】
図１に示す端末機２０のシステムを起動し（ステップＳ１）、アプリケーションがダウンロードされていない場合は、端末機２０は管理サーバ１０の記憶部１９に記録されているアプリケーションのダウンロードを行う（ステップＳ２）。
【００６９】
ダウンロードされたアプリケーションは端末機記憶部２９に保存され、アプリケーションの実行時は逐次端末機記憶部２９から読み出される。アプリケーションのダウンロードを行うと、位置指定部２４を構築し、初期設定を入力する（図示せず。ステップＳ３）。ここで入力する入力データは、端末機の固有機器情報（端末機ＩＤ）、使用者（投稿者、閲覧者及び応募者）の名称（氏名、略称等）、パスワード、等である。入力は、タッチパネル等の入力部２３から行う。
【００７０】
そして、端末機２０に入力した初期設定のデータは、端末機制御部２１から、端末機通信部２８、無線基地局２及び通信網３を介して、管理サーバ１０の通信部１８、及び制御部１１を経由して設定登録部１２に送信され（ステップＳ４）、設定登録部１２はデータベース１６に初期設定データを登録する（ステップＳ５）。
初期設定が終了すると、閲覧画面４１である図６（Ａ）を表示する（ステップＳ６）。そして、投稿、閲覧及び応募が可能となる。
【００７１】
次に、投稿者が自己の商品の登録（投稿品の投稿）を行う場合の処理を説明する。
投稿の最初の手順として、投稿者は自己の商品の登録（投稿品の投稿）を行う場合、図６（Ａ）に示す閲覧画面４１の投稿ボタン４２を押下する（ステップＳ７）。すると図６（Ｂ）に示す投稿カテゴリー選択画面４３が表示されるので、投稿者は、自己の投稿内容に合致するカテゴリーを選択し、押下する（ステップＳ８）。カテゴリーは上述のように、「あげます・売ります」、「ください・買います」、「メンバー募集・イベント」、「助けます・貸します・教えます」、「助けて・貸して・教えて」、「求人」、「賃貸・ルームシェア」等の投稿カテゴリーを選択できるようになっている。
【００７２】
次に、図６（Ｃ）に示す情報入力画面４５が表示されるので、投稿の詳細な内容を入力する（ステップＳ９）。ここで入力する詳細情報は、投稿品の名称、「内容」として投稿品を説明する文章、写真、及び価格、場所４６（位置情報Ｌ１：ステップＳ１０）等である。投稿品の写真は、情報入力画面４５を表示したままで、端末機２０のカメラ（図示せず）を操作して撮影し、写真の加工等を同時に行えるようにすると良い。
【００７３】
特に場所４６から入力した値は位置情報Ｌｎとして管理サーバ１０に送信される。
場所４６に「ＧＰＳ」を選択した場合は、位置指定部２４は位置情報Ｌ１としてＧＰＳ機能から端末機２０の現在地の緯度・経度を取得する（ステップＳ１１）。又、場所４６で「場所入力」を選択した場合は、あらかじめ管理サーバ１０が取り決め、例えば図３に示す、「千代田区」「中央区」等（市町村単位）又は「東京駅丸の内地域」「銀座地域」等（地域名称）の選択肢をあらかじめアプリケーションのダウンロード時に端末機記憶部２９内に記憶しておき、投稿者３１は前記選択肢を一覧表やプルダウンメニュー（何れも図示せず）から選択することで入力する（ステップＳ１２）。
これらの情報入力画面４５で入力された情報は端末機２０の端末機制御部２１から、端末機通信部２８、無線基地局２及び通信網３を介して、管理サーバ１０の通信部１８、及び制御部１１を経由して選択登録部１３に送信される（ステップＳ１３）。
【００７４】
そして、位置情報指定部１４は、端末機２０から受信した位置情報Ｌ１を地域情報Ａ１に変換する（ステップＳ１４）。位置情報指定部１４は、位置情報Ｌ１としてＧＰＳデータを受信すると、位置情報Ｌｎの緯度・経度と、別に用意された地図情報と組み合わせて、その緯度・経度から住所に変換する。例えば、位置情報Ｌｎが（北緯35.684xxxx,東経139.766xxxx）であれば、住所を「東京都千代田区大手町１丁目〇○番〇○号」と変換する。また、場所４６で位置情報Ｌ１に「場所入力」を選択した場合は、選択肢をそのまま地域情報として使用する。例えば、場所４６の選択肢で「千代田区」（位置情報Ｌ１）に選択し、選択登録部１３で受信すると、位置情報指定部１４は、地域情報Ａ１を「千代田区」に決定する。
なお、本発明では一般的なＧＰＳ機能と、一般的な地図情報ソフトウェアとを組み合わせて利用するもので良く、これらの詳細な説明は省略する。
【００７５】
そして、位置情報指定部１４は、その変換した住所を地域情報Ａｎとしてデータベース１６に登録する。例えば、管理サーバ１０が住所のうち市町村名を地域情報とすると取り決めている場合、「東京都千代田区大手町１丁目〇○番〇○号」の「千代田区」を地域情報Ａｎとしてデータベース１６に登録する。
【００７６】
また、場所４６で位置情報Ｌ１に「場所入力」で選択肢から入力した場合は、選択肢をそのまま地域情報として使用する。例えば、場所４６の選択肢で「東京駅丸の内地域」（位置情報Ｌ１）を選択し、選択登録部１３で受信すると、位置情報指定部１４は、地域情報Ａ１を「東京駅丸の内地域」に決定し、前記カテゴリー及び詳細情報とともにデータベース１６に登録する（ステップＳ１５）。
【００７７】
次に、振り分け部１５は、データベース１６に登録された投稿を地域情報Ａｎを単位として振り分けることにより、振り分け部１５は、閲覧者の存在する地域情報に基づいて投稿への閲覧を閲覧者毎に振り分ける（ステップＳ１６）。例えば、端末機２０の地域情報Ａｎが「千代田区」である場合は、データベース１６から地域情報Ａｎが「千代田区」の投稿品を振り分けて抽出し整列を行う。
【００７８】
そして、振り分けが終了すると、投稿者３１及び又は閲覧者３２が所持する地域情報Ａ１である端末機２０へ、その地域情報Ａ１に係る投稿品のデータを送信し、図６（Ａ）に示す閲覧画面４１に地域情報Ａ１に係る投稿品を表示する（ステップＳ１７）。端末機２０は地域情報Ａ１以外の地域情報を有する投稿品は閲覧不可であり、閲覧画面４１に表示されない。投稿品の表示順序は最新の投稿品から表示するが、表示の順序は価格順、投稿品名順等でもよく、特に限定するものではない。
【００７９】
ここで、投稿者３１は、応募者３３ｎからの応募待ち状態になる。応募者３３ｎは、地域情報Ａ１を設定した端末機２０ｎを所持する者のみである。
投稿者３１に応募者３３ｎからの応募があった場合は（ステップＳ１８でＹｅｓ）、投稿者３１と、応募者３３ｎとの２者間で非公開の個別メッセージの送受信を行うことが可能となる（ステップＳ１９）。この個別メッセージの送受信は、投稿者３１と応募者３３ｎとの２者間で取引の成立まで、何度行っても良い（ステップＳ２０）。
【００８０】
なお、図２（Ｂ）及び（Ｃ）に示すように、応募者３３Ａ、３３Ｂの２名から応募があった場合は、投稿者３１と応募者３３Ａ、３３Ｂ間の個別メッセージは無線基地局２、通信網３及び管理サーバ１０を介して送受信されるため、管理サーバ１０は個別メッセージを記録することができるが、第３者には非公開のため、投稿者３１と応募者３３Ａ間の個別メッセージを応募者３３Ｂは知ることができないし、投稿者３１と応募者３３Ｂ間の個別メッセージを応募者３３Ａは知ることができない。
【００８１】
そして、投稿者３１と応募者３３Ａとの間で金額や受け渡し方法に同意ができ、取引が成立した場合は（ステップＳ２１でＹｅｓ）、投稿者３１は取引時に表示される画面（図示せず）から「応募終了」ボタン（図示せず）を押下することで（ステップＳ２２）、複数応募者間との取引を終了する旨を管理サーバ１０に通知する。
【００８２】
管理サーバ１０の制御部１１は、「応募終了」を管理サーバ１０から受信すると（ステップＳ２３）、「応募終了」の旨をデータベース１６に記録し、図２（Ｄ）に示すように、図６（Ａ）に示す投稿の表示に「応募終了」の表示を追加し（ステップＳ２４）、投稿者３１、応募者３３Ａ、３３Ｂ及び第３者である閲覧者３２ｎに、当該投稿の取引が終了した旨を掲示する。これにより、閲覧者３２ｎによる当該投稿の応募が一切不可能となる。また、投稿者３１と応募者３３Ａがそれぞれお互いを評価する機能をシステム１に搭載するようにしても良い。
【００８３】
［閲覧者の処理］
次に、閲覧者３２（応募者３３）の処理を図５、図７を参照して説明する。
図５に示すステップＳ３１乃至ステップＳ３５は、ステップＳ１乃至ステップＳ５と同じ処理であるので、説明を省略する。
【００８４】
初期設定が終了すると、閲覧画面４１が起動する（ステップＳ３６）。このとき、位置指定部２４は、端末機２０のＧＰＳ機能から現在地の緯度・経度を位置情報Ｌ１として取得し、位置情報Ｌ１を管理サーバ１０の位置情報指定部１４に送信する（ステップＳ３７）。
【００８５】
位置情報指定部１４は、位置情報Ｌ１を地域情報Ａ１に変換する（ステップＳ３８）。そして、振り分け部１５は、データベース１６に登録された投稿品から地域情報Ａ１に設定されている投稿品を、端末機２０へその地域情報Ａ１に係る投稿を送信し（ステップＳ３９）、図７（Ａ）に示す閲覧個別画面５１に地域情報Ａ１に係る投稿を表示する（ステップＳ４０）。閲覧者３２ｎは、閲覧個別画面５１及び閲覧個別画面５１の次ページで投稿に対する第３者からの質問事項をまとめたコメント画面５３（図７（Ｂ）に示す）を閲覧することができる。
【００８６】
閲覧者３２ｎは、所持する端末機２０ｎが地域情報Ａ１であるので、地域情報が地域情報Ａ１の投稿品のみが閲覧可能となる。ここで、閲覧者３２ｎが別の位置情報Ａｎの投稿品を閲覧すべく、位置情報Ｌｎの変更を希望する場合は（ステップＳ４１でＹｅｓ）、閲覧者３２ｎは位置情報の変更画面（図示せず）から管理サーバ１０が取り決めをした「千代田区」「中央区」等（市町村単位）又は「東京駅丸の内地域」「銀座地域」等（地域名称）の選択肢をあらかじめ端末機記憶部２９内に記憶しておき、閲覧者３２ｎは前記選択肢を一覧表やプルダウンメニュー（何れも図示せず）から選択することで、位置情報Ｌｎを入力できるようにする。入力された位置情報Ｌｎは端末機２０（位置指定部２４）から位置情報指定部１４に送信され（ステップＳ４２）、新しい位置情報Ｌｎから変換された新しい地域情報ＡｎでステップＳ３７乃至ステップＳ４０を繰り返し、新しい地域情報Ａｎの投稿を端末機２０に送信することで、閲覧者３２ｎは新しい地域情報Ａｎの投稿を閲覧することが可能となる。
【００８７】
なお、閲覧者３２ｎが端末機２０ｎを所持して、実際に地域情報Ａ１の場所から他の地域情報Ａｎの場所に物理的に移動する場合は、移動先の場所でアプリケーションを再度実行することで（ステップＳ３６乃至ステップＳ４０）、位置指定部２４がその再度実行した現在地の位置情報Ｌｎを取得し、管理サーバ１０に送信することで、端末機２０ｎに新たな場所の地域情報Ａｎが設定され、その新たな地域情報Ａｎを有する投稿品が閲覧可能となる。
【００８８】
なお、閲覧者３２ｎが位置情報Ｌｎの変更を希望しない場合は（ステップＳ４１でＮｏ）ステップＳ４０での閲覧個別画面５１の表示が維持される。
【００８９】
また、閲覧者３２は、投稿カテゴリー選択画面４３から目的のカテゴリーを選択して（ステップＳ４３）、その選択内容を管理サーバ１０に送信すると（ステップＳ４４）、管理サーバ１０は、地域情報Ａ１に設定された投稿品の中から、さらに選択されたカテゴリー分類して、端末機２０に送信することで、閲覧画面４１及び閲覧個別画面５１の表示は、選択されたカテゴリーの内容で表示され（ステップＳ４５）、閲覧者３２は、自分の目的の投稿を検索しやすくなる（ステップＳ４６）。
【００９０】
閲覧者３２は、端末機２０でアプリケーションを終了するまで、閲覧を継続することができる（ステップＳ４７でＮｏ）。閲覧者３２は、閲覧中は再度位置情報Ｌｎの変更を行い（ステップＳ４２）、閲覧する地域情報を変更してもよい。
【００９１】
そして、閲覧者３２は、取引したい投稿を発見した場合は、閲覧個別画面５１の応募ボタン５２を押下することで（ステップＳ４７でＹｅｓ）、応募メッセージ画面５５が表示され閲覧者３２は応募者３３の立場となる。閲覧者３２は応募者３３となることで、投稿者３１と応募者３３ｎとの２者間で非公開の個別メッセージの送受信を行うことが可能となる（ステップＳ４８）。この個別メッセージの送受信は取引の成立まで、何度行っても良い（ステップＳ４９でＹｅｓ）。
【００９２】
そして、投稿者３１と応募者３３Ａとの間で取引金額や受け渡し方法に同意ができ、取引が成立した場合は（ステップＳ５０でＹｅｓ）、投稿者３１が「取引終了」ボタン（図示せず）を押下することで、応募者３３Ａと投稿者３１との取引を終了する（ステップＳ５１）。
また、投稿者３１と応募者３３Ａとの間で取引が不成立になった場合は（ステップＳ５０でＮｏ）、応募者３３Ａは閲覧者３２ｎに戻ることとなる。
【００９３】
以上のように、投稿者３１は所持する端末機２０の位置情報Ｌｎから変換した地域情報Ａｎを付した投稿品をデータベース１６に登録し、管理サーバ１０は投稿品を地域情報Ａｎで閲覧可能又は閲覧不可に振り分け、また、投稿者３１と同じ地域情報Ａｎを設定された端末機２０の所持者である閲覧者３２（応募者３３）に対してのみ投稿を閲覧可能とすることで、近隣にいる投稿者３１と閲覧者３２（応募者３３）間の取引支援を行うことができ、取引を効率化することができる。
【００９４】
［他の地域情報の例］
上記では、地域情報Ａｎについて、市町村単位や地域の地域名称（地名、地区名称、等）などで分類する例を示したが、本発明では地域情報Ａｎの分類を距離で取り決めるようにしてもよい、例えば、管理サーバ１０は、地域情報Ａｎの範囲を端末機２０の現在地の位置情報Ｌｎ（緯度・経度）から「半径Ｘｋｍ以内」と距離で取り決める。また、位置情報Ｌｎ（緯度・経度）から近隣の著名な建築物や公共施設を選択し、距離の中心地点としてもよい。例えば、端末機２０の現在地が東京駅近隣の場合は、地域情報Ａｎを「東京駅から半径１０Ｋｍ以内」に設定する等である。
【００９５】
また、地域情報Ａｎを距離で取り決めた場合、境界線（図８（Ａ）に示す）地域情報Ａ１と、斜線で示す地域情報Ａ１以外の範囲との境界線）の定義として、その境界線近傍の位置情報Ｌｎの検出精度はＧＰＳに依存するが、端末機２０の現在位置が地域情報Ａ１の境界の近傍であっても、地域情報Ａ１の範囲外（斜線部分）であれば、地域情報Ａｎが異なると管理サーバ１０は判断して、投稿品を閲覧することは不可能である。
【００９６】
［地域情報の拡張］
本発明では、投稿者３１が所定の拡張条件に基づいて、地域情報Ａ１（第１の地域情報）に地域情報Ａ２（第２の地域情報）を拡張し、広範囲（地域情報Ａ１及び地域情報Ａ２）の閲覧者３２ｎが投稿者３１の投稿を閲覧可能にするようにしてもよい。例えば、投稿者３１の投稿品に対して地域情報Ａ１内で応募者が現れない場合など、投稿品の地域情報Ａｎを地域情報Ａ１と地域情報Ａ２とに拡張することで、閲覧者３２の人数が増えるので、投稿者３１にとって、投稿品に対して応募の機会が増えることとなる。
【００９７】
ここで、地域情報の拡張とは、投稿者が投稿品に基本となる地域情報Ａ１（第１の地域情報）に加えて、地域情報Ａ２（第２の地域情報）を拡張条件によりオプションで登録することで、地域情報Ａ１が設定されている第１の端末機２０を所持する閲覧者３２と第２の地域情報Ａ２を設定されている第２の端末機２０の閲覧者３２の双方が、当該投稿品を閲覧可能となることである。図８（Ａ）及び図８（Ｂ）に示す、地域情報Ａ１及び地域情報Ａ２の範囲（白抜きの範囲）で閲覧、応募が可能となる。
【００９８】
図８を参照して、投稿者３１が地域情報を拡張する実施例を説明する。図８（Ａ）は、地域情報Ａ１に加えて地域情報Ａ２を拡張した例を示す図、図８（Ｂ）は地域情報Ａｎについて距離を基準に拡張した例を示す図である。
【００９９】
図８（Ａ）は、図２（Ａ）に示す地域情報Ａ１（第１の地域情報）に加えて、地域情報Ａ２（第２の地域情報）を拡張した例を示す。管理サーバ１０は、投稿者３１が投稿をする際に、拡張条件を付加して、位置情報指定部１４の情報を位置情報Ｌ１からＬ１及び拡張条件の情報を管理サーバ１０の位置情報指定部１４に送信する。ここで拡張条件とは、投稿者３１が、有料の地域拡張のオプションを申し込む（課金）、投稿に広告表示付加のオプションを申し込む、投稿品の金額の設定が所定の金額以上、等の条件が考えられる。
【０１００】
ここで、投稿者３１が指定できる地域情報Ａ１に対して拡張する地域情報Ａ２は、地域情報Ａ１の一部又は全部を含む地域情報Ａ２に制限する。例えば、図３で示す地域情報Ａ１が「千代田区」（市町村単位）に設定されている場合、「千代田区」の一部又は全部を含んだ中央区」「港区」「新宿区」「文京区」「台東区」を地域情報Ａ２に設定することができる。地域情報Ａ１の「千代田区」と離れている「目黒区」「渋谷区」「中野区」「豊島区」「荒川区」「江東区」は地域情報Ａ２に設定することは地域情報Ａ１の一部又は全部を含まないので、不可能である。
【０１０１】
前述のように閲覧者３２ｎは移動するとの考えから、地域情報Ａ１の一部又は全部を含む地域情報Ａ２は閲覧者３２ｎの移動圏内と考えられるからである。また、離れた地域や遠方の地域を拡張する地域情報を許可してしまうと、閲覧者３２ｎの移動圏内の取引を外れ手渡し等のＦａｃｅ−Ｔｏ−Ｆａｃｅの取引の実施が阻害される恐れが生じるためである。
【０１０２】
図８（Ａ）は、地域情報Ａ１と拡張した地域情報Ａ２で閲覧可能な閲覧者３２ｎの状態を示している。地域情報Ａ１及び地域情報Ａ２の範囲、つまり、図８（Ａ）に示す白抜きの範囲が、閲覧、応募が可能となる。地域情報Ａ１内では地域情報Ａ１に設定された端末機２０Ａ，２０Ｂを所持する閲覧者３２Ａ、３２Ｂが投稿者３１の投稿品を閲覧可能であり、加えて、拡張した地域情報Ａ２内では、地域情報Ａ２に設定された端末機２０Ｃを所持している閲覧者３２Ｃが投稿者３１の投稿品を閲覧、応募が可能となる。
【０１０３】
図８（Ｂ）は、地域情報Ａ１を「半径Ｘ１ｋｍ」と距離で設定するようにした場合の拡張した地域情報Ａ２の例を示したものである。図８（Ｂ）では、地域情報Ａ２（半径Ｘ２ｋｍ）は地域情報Ａ１の全部を含み（Ｘ２＞Ｘ１）、「半径Ｘ２ｋｍ（Ｘ１の全部を含む）」と距離で設定され地域情報Ａ１及び地域情報Ａ２の範囲（図８（Ｂ）で白抜きの範囲）が閲覧、応募が可能となる。
地域情報Ａ１内では地域情報Ａ１に設定された端末機２０Ａ，２０Ｂを所持する閲覧者３２Ａ、３２Ｂが投稿者３１の投稿品を閲覧可能であり、加えて、拡張した地域情報Ａ２内では、地域情報Ａ２に設定された端末機２０Ｃ、２０Ｅを所持している閲覧者３２Ｃ、３２Ｅが投稿者３１の投稿品を閲覧、応募が可能となる。
【０１０４】
このように地域情報を拡張することで、投稿品を閲覧可能な閲覧者３２ｎの数が増えるので、投稿者３１にとって、応募の機会が増えることとなる。
なお、１つの投稿品の地域情報は、Ａ１、Ａ２の２件の拡張のみに限らず、さらに複数の地域情報Ａ３、Ａ４・・・Ａｎを拡張して設定可能なように管理サーバ１０で取り決めをしてもよい。
【０１０５】
上記では地域情報Ａ１及び地域情報Ａ２の範囲（図８（Ａ）で白抜きの範囲）が閲覧、応募が可能となる例を説明したが、さらに、当該地域情報Ａ１及び地域情報Ａ２の範囲内の一部（図８（Ａ）で白抜きの範囲内の一部）を閲覧、応募不可と管理サーバ１０が設定をするようにしてもよい。
【０１０６】
また、上記では投稿者３１が投稿をする際に、拡張条件を付加して、地域情報Ａｎを拡張する場合を説明したが、閲覧者３２ｎが閲覧をする際に拡張条件を付加して、閲覧可能案な地域情報Ａｎを拡張するような設定を管理サーバ１０がするようにしてもよい。
【０１０７】
以上、個人間取引支援システムの地域情報Ａｎについて説明したが、上記の機能に加えて、下記のサービスを提供してもよい。
【０１０８】
［閲覧者数通知］
地域情報毎に登録されている閲覧者の所持する端末機２０の個数を通知するサービスである。
地域情報Ａ１内に存在する端末機２０ｎを所持する閲覧者３２ｎの人数（端末機２０の個数）は、閲覧者３２ｎの移動や端末機２０ｎの位置情報Ｌｎの変更等によって、刻々と変化する。そこで管理サーバ１０の振り分け手段としての振り分け部１５は投稿者３１に対して、地域情報Ａｎ内に、何名の閲覧者３２（端末機２０の個数）が現存するかを通知するサービスを提供する。振り分け部１５は閲覧可能か閲覧不可かを振り分ける際に、地域情報Ａｎ毎に閲覧者３２の人数（端末機２０の個数）を把握することができる。そこで、管理サーバ１０は、投稿者３１が、投稿品を最も閲覧者３２の目に触れやすい地域に投稿することで、早期に取引が成立することを支援する。投稿者３１は、１度投稿すると、当該投稿の地域情報Ａｎを変更不可のため、効果的に応募がなされる可能性のある地域に投稿品を投稿することが望ましいからである。
【０１０９】
［カテゴリー閲覧通知］
投稿した地域情報Ａ１が拡張可能な地域情報Ａ２内に、投稿したカテゴリーを検索している閲覧者３２が存在している場合、その旨を投稿者３１に通知するサービスである。
【０１１０】
管理サーバ１０の振り分け部１５は、地域情報Ａｎ毎に閲覧者３２がどの様なカテゴリーを閲覧しているかを把握することができる。例えば、図８（Ａ）に示す地域情報Ａ１「千代田区」（図３を参照）において、投稿者３１がカテゴリー「教えます」で生徒募集を投稿した場合に、閲覧者３２Ｃが地域情報Ａ２の「港区」（図３を参照）で「教えます」の生徒募集を検索している場合、閲覧者３２Ｃは地域情報Ａ２の投稿の閲覧は可能であるが、地域情報Ａ１の投稿の閲覧が不可であるので、投稿者３１とミスマッチが生じる。
【０１１１】
ここで管理サーバ１０の振り分け部１５は、閲覧者３２Ｃが「教えます」で生徒募集を検索していることを感知しているので、投稿者３１に地域情報Ａ２で「教えます」が検索されている旨を通知する。投稿者３１は、閲覧者３２Ｃが地域情報Ａ２で「教えます」を検索中である旨の情報を知ることで、その情報を基に、前記投稿の地域情報をＡ１及びＡ２に拡張する手続を取り得る。ここで投稿者３１が前記投稿の地域情報をＡ１及びＡ２に拡張する手続を取ることにより、閲覧者３２Ｃは投稿者３１の前記投稿を閲覧可能となり、且つ前記投稿に対して応募可能となる。このように管理サーバ１０が投稿と閲覧のマッチングをサポートすることで、取引の活性化が図れる。
【０１１２】
このように、本発明は個人間の取引を支援する個人間取引支援システムであって、取引情報を提供するサイトを構築した管理サーバ１０と、前記管理サーバ１０のサイトにアクセス可能な手段（アプリケーション）を備えた少なくとも２台の端末機と、を組合せ、前記少なくとも２台の端末機は、一方が取引情報の発信機としての端末機と他方が取引情報の受信機としての端末機との組合せからなり、前記端末機は、それぞれの前記端末機が存在する位置情報をそれぞれ出力する位置指定部を有し、前記管理サーバは、前記端末機の位置指定部が出力する位置情報に基づいて前記受信機としての端末機が位置するべき地域範囲を選定する位置情報指定手段と、前記位置情報指定手段が選定した地域範囲内に前記受信機としての端末機が位置する際に前記管理サーバへのアクセスを許可し、前記地域範囲外に位置する際に前記管理サーバへのアクセスを制限する振分手段とを有することを特徴とする発明である。
【０１１３】
以上の説明では、本発明を装置としての個人間取引支援システムとして構築したが、これに限られるものではない。すなわち、コンピュータにソフトウェアを実装し、そのソフトウェアを実行することにより、管理サーバ１０のコンピュータに、端末機２０の設定情報を登録するための設定登録機能（設定登録部１２）と、端末機２０からの位置情報Ｌｎを指定する位置情報指定機能（位置情報指定部１４）と、前記指定された前記位置情報Ｌｎから設定された範囲である第１の地域情報Ａ１による端末機２０を閲覧可能とし、前記第１の地域情報以外の範囲の地域情報Ａｎによる端末機２０を閲覧不可とする振り分けを実行する振り分け機能（振り分け部１５）と、を実行させることを特徴とする個人間取引支援プログラムとして構築してもよいものである。
【０１１４】
以上説明したように、本発明の実施形態によれば、個人対個人（個人には、法人を含み、個人対法人、法人対個人、法人対法人も含む）の取引に関し、投稿者の端末機の位置情報から設定された第１の地域情報を端末機で閲覧可能と振り分け、当該第１の地域情報を設定した以外の地域情報を有する閲覧者の端末機には第１の地域情報を閲覧不可に振り分ける。第１の地域情報を設定した端末機を有する者同士が取引の閲覧、検索及びコミュニケーションなどを容易に行うことができる。これにより投稿者は、投稿品に設定した第１の地域情報と同一の第１の地域情報を設定した端末機を所持する閲覧者のみが投稿品の内容を閲覧できるので、意図しない遠方の閲覧者には投稿を見せない。よって、第１の地域情報の近隣の場所に居る閲覧者のみを対象にすることで、投稿品の閲覧、検索及びコミュニケーションなどを容易に行うことができ、手渡し等のＦａｃｅ−Ｔｏ−Ｆａｃｅの取引を希望する閲覧者を選択することができる。
【０１１５】
また、従来の一般的に行われているオークションでは、出品者の地域を明記している場合もあるが、その情報に基づいて落札者側が送料等を考慮して取引をするか否かを判断しており、出品者は地域情報に基づいて閲覧者を振り分けることができなかった。これに対して、本発明の実施形態によれば、投稿者が閲覧可能な範囲の位置情報を設定することにより、取引範囲を振り分けることができ、それによって、Ｆａｃｅ−Ｔｏ−Ｆａｃｅの取引を実現することができる。
【０１１６】
また、本発明の実施形態によれば、位置情報指定手段は、位置情報として前記端末機の緯度及び経度を使用し、地域情報を設定する。よって、一般的なＧＰＳで位置情報を指定し、電子地図に組み合わせて、地図から住所を算出し、地域情報を設定することができる。
【０１１７】
また、本発明の実施形態によれば、前記位置情報指定手段は、位置情報として前記端末機から任意の地域を１か所入力して指定する。よって、投稿者、閲覧者は、市町村単位やあらかじめシステム（管理サーバ１０）で用意した市町村名、地域名称（地名、地区名称、等）を選択して入力することで、位置情報を指定することができる。
【０１１８】
また、本発明の実施形態によれば、前記管理サーバは、第１の地域情報に拡張した第２の地域情報を設定可能とし、第１の地域情報と前記拡張した第２の地域情報との範囲に投稿者の意思に基づいて任意に変更することができ、しかも、拡張後の第１の地域情報と第２の地域情報以外の地域情報を設定した前記端末機は投稿品を閲覧不可に振り分ける。これにより、投稿者は第１の地域情報を閲覧可能な閲覧者に加えて、拡張した第２の地域情報を閲覧可能な閲覧者の数を増やすことにより、投稿品の取引の機会が広がる。
【０１１９】
また、本発明の実施形態によれば、前記管理サーバは、閲覧者が所持する端末機の前記第１の地域情報に設定された閲覧者の人数（端末機の個数）を前記投稿者の端末機に通知することが可能である。これにより、投稿者は第１の地域情報に存在する閲覧者の人数（端末機の個数）を知ることができる。例えば、投稿前に閲覧者の人数（端末機の個数）の多い地域を見つけたら、その地域に投稿をすることで、閲覧可能な閲覧者の数を増やすことにより、取引の機会が広がる。
【０１２０】
また、本発明の実施形態によれば、前記管理サーバは、前記投稿カテゴリーの第１の地域情報に設定された前記端末機に対して、第１の地域情報の一部又は全部を含む他の地域情報の範囲に同一の投稿カテゴリーを閲覧する閲覧者が居た場合は、前記投稿者の端末機に、他の地域に閲覧者が存在する旨の通知をする機能を有する。これにより、投稿者は他の地域情報にカテゴリーの閲覧があったことを知ることにより、地域情報の拡張を検討する機会を得ることができる。
【０１２１】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１２２】
１    個人間取引支援システム
２    無線基地局
３    通信網
１０  管理サーバ
１１  制御部
１２  設定登録部（設定登録手段）
１３  選択登録部（選択登録手段）
１４  位置情報指定部（位置情報指定手段）
１５  振り分け部（振分手段）
１６  データベース
１８  通信部
１９  記憶部
２０  端末機
２１  端末機制御部
２２  表示部
２３  入力部
２４  位置指定部
２８  通信部
２９  記憶部
３１  投稿者
３２  閲覧者
３３  応募者
４１  閲覧画面
４２  投稿ボタン
４３  投稿カテゴリー選択画面
４５  情報入力画面
５１  閲覧個別画面
５２  応募ボタン
５３  コメント画面
５５  応募メッセージ画面
Ｌｎ  位置情報
Ａｎ  地域情報
【図１】
0006427510.tif 000002
【図２】
0006427510.tif 000003
【図３】
0006427510.tif 000004
【図４】
0006427510.tif 000005
【図５】
0006427510.tif 000006
【図６】
0006427510.tif 000007
【図７】
0006427510.tif 000008
【図８】
0006427510.tif 000009